(57)【要約】      （修正有）【課題】心拍数を測ることができるブレスレットを提供する。【解決手段】上下対称の主板１１を含み、上側の前記主板の上端面の中にはディスプレイスクリーン１２が固定的に設置される。主板１１の中には挟み装置１０１が設置され、挟み板の上端面の中には心拍数を測ることができる測り板２６が設置され、測り板が脈拍に対して一定の時間の計測を行い、またディスプレイスクリーンによりデータを示す。【選択図】図１
2020182795.tif 000002
【特許請求の範囲】
【請求項１】
正面視で、上下対称の主板を含み、上側の前記主板の上端面の中にはディスプレイスクリーンが固定的に設置され、前記主板の中には挟み装置が設置され、前記挟み装置の後側には位置制限装置が設置され、上下両側の前記主板の間にはバックル装置が設置され、前記バックル装置により本装置を手首につけ、本装置の左右両端を押して前記挟み装置を始動でき、手首の上下両端をきつく挟み、また前記位置制限装置により位置を制限し、そして心拍数を測り、また前記ディスプレイスクリーンによりデータを示し、再び本装置の左右両端を押し、前記位置制限装置が前記挟み装置に対しての位置のロックを解除でき、前記挟み装置は、前記主板の中に設置され、且つ開口が向き合っている伸縮チャンバを含み、前記伸縮チャンバの中には挟み板がスライドできるように設置され、下側の前記挟み板の上端面の中には心拍数を測ることができる測り板が設置され、前記挟み板のうち対称中心から離れている側の端面にはヒンジロッドが左右対称的に、且つヒンジにより連結され、前記伸縮チャンバの左右両壁にはガイドスライド口が対称的に、且つ連通するように設置され、前記ガイドスライド口の中には前記ヒンジロッドのうち対称中心から離れている一端にヒンジにより連結されたコンロッドがスライドできるように設置され、前記ガイドスライド口のうち前記伸縮チャンバから離れている側にはスライドチャンバが連通するように設置され、前記スライドチャンバの中には前記コンロッドのうち対称中心から離れている一端に固定的に連結されたスライド板がスライドできるように設置され、前記スライド板のうち前記コンロッドに連結された一端と前記スライドチャンバの内壁との間には圧縮バネが固定的に連結され、前記スライドチャンバのうち前記ガイドスライド口から離れている側には開口が連通するように設置され、前記スライド板のうち前記ガイドスライド口から離れている一端には前記開口を通り抜けている推しロッドが固定的に連結され、左側且つ上下両側に位置している前記推しロッドの相対した一端には固定板が固定的に設置され、右側且つ上下両側に位置している前記推しロッドの相対した一端には反転板が固定的に設置され、前記固定板と前記主板との間及び前記反転板と前記主板との間には環状遮り布が固定的に設置されたことを特徴とする心拍数を測ることができるブレスレット。
【請求項２】
前記位置制限装置は前記推しロッドの後端面に固定的に設置されたラックを含み、前記開口の後壁の中には伝動チャンバが連通するように設置され、前記伝動チャンバの中には前記ラックと噛み合うことができる伝動ギヤが回転できるように設置され、前記伝動ギヤの後端には従動ギヤが噛み合うように設置され、前記従動ギヤの同軸一端にはラチェットギヤが固定的に連結され、前記ラチェットギヤは前記従動ギヤが前記主動ベベルギヤを連動させて片方向へ回転させることを実現し、前記ラチェットギヤの同軸一端には主動ベベルギヤが固定的に連結され、前記主動ベベルギヤのうち左右対称の中心に近接しており、且つ上下対称の中心から離れている側には前記主動ベベルギヤと噛み合っている従動ヘリカルギヤが設置され、前記従動ヘリカルギヤの軸心には回転軸が固定的に設置され、前記スライドチャンバの後壁には回転チャンバが連通するように設置され、前記回転軸が前記回転チャンバの中に伸びており、且つ前記回転軸には回転盤が固定的に設置され、前記回転盤の円周面の後端には阻みブロックが固定的に設置され、前記阻みブロックが前記スライドチャンバの中に回転して前記スライド板を阻むことができることを特徴とする請求項１に記載の心拍数を測ることができるブレスレット。
【請求項３】
前記バックル装置は上側の前記固定板の下端に回転できるように設置されたカバー板を含み、前記カバー板の下端面の中には引っ掛かり溝が設置され、下側の前記固定板の上端面には前記引っ掛かり溝の中に引っ掛かることができる引っ掛かりブロックが固定的に設置され、前記カバー板の右端面の下端には第一折りロッドが回転できるように設置され、前記第一折りロッドの右端面の上端には第二折りロッドが回転できるように設置され、前記第二折りロッドの下端が下側の前記固定板の上端に回転できるように連結され、前記反転板の相対した一端には回転ロッドが固定的に連結され、前記回転ロッドの間が回転できるように連結されたことを特徴とする請求項１に記載の心拍数を測ることができるブレスレット。
【発明の詳細な説明】
【技術分野】
【０００１】
本発明はアクセサリー技術分野を取り上げて、具体的には心拍数を測ることができるブレスレットである。
【背景技術】
【０００２】
ブレスレットは手首につけられるアクセサリーであり、現在、ブレスレットは手元を飾る作用を果たすだけではなく、人の体の健康データを測定でき、例えば心拍数を測り、しかし、ブレスレットがちゃんとつけられていないため測ったデータが正しくないことになりやすく、そのため、心拍数を測ることができるブレスレットが必要となり、本装置により本装置を簡単に手首につけることができ、同時に簡単な方式により手首をしっかりと挟んで心拍数を安定的に測ってデータをフィードバックし、使用が簡単で便利である。
【先行技術文献】
【特許文献】
【０００３】
【特許文献１】中国特許出願公開第１０６５１０１０９号明細書
【発明の概要】
【発明が解決しようとする課題】
【０００４】
本発明は心拍数を測ることができるブレスレットを提供し、従来技術における上記欠点を解消することを目的とする。
【課題を解決するための手段】
【０００５】
本発明の心拍数を測ることができるブレスレットは、上下対称の主板を含み、上側の前記主板の上端面の中にはディスプレイスクリーンが固定的に設置され、前記主板の中には挟み装置が設置され、前記挟み装置の後側には位置制限装置が設置され、上下両側の前記主板の間にはバックル装置が設置され、前記バックル装置により本装置を手首につけ、本装置の左右両端を押して前記挟み装置を始動でき、手首の上下両端をきつく挟み、また前記位置制限装置により位置を制限し、そして心拍数を測り、また前記ディスプレイスクリーンによりデータを示し、再び本装置の左右両端を押し、前記位置制限装置が前記挟み装置に対しての位置のロックを解除でき、前記挟み装置は、前記主板の中に設置され、且つ開口が向き合っている伸縮チャンバを含み、前記伸縮チャンバの中には挟み板がスライドできるように設置され、下側の前記挟み板の上端面の中には心拍数を測ることができる測り板が設置され、前記挟み板のうち対称中心から離れている側の端面にはヒンジロッドが左右対称的に、且つヒンジにより連結され、前記伸縮チャンバの左右両壁にはガイドスライド口が対称的に、且つ連通するように設置され、前記ガイドスライド口の中には前記ヒンジロッドのうち対称中心から離れている一端にヒンジにより連結されたコンロッドがスライドできるように設置され、前記ガイドスライド口のうち前記伸縮チャンバから離れている側にはスライドチャンバが連通するように設置され、前記スライドチャンバの中には前記コンロッドのうち対称中心から離れている一端に固定的に連結されたスライド板がスライドできるように設置され、前記スライド板のうち前記コンロッドに連結された一端と前記スライドチャンバの内壁との間には圧縮バネが固定的に連結され、前記スライドチャンバのうち前記ガイドスライド口から離れている側には開口が連通するように設置され、前記スライド板のうち前記ガイドスライド口から離れている一端には前記開口を通り抜けている推しロッドが固定的に連結され、左側且つ上下両側に位置している前記推しロッドの相対した一端には固定板が固定的に設置され、右側且つ上下両側に位置している前記推しロッドの相対した一端には反転板が固定的に設置され、前記固定板と前記主板との間及び前記反転板と前記主板との間には環状遮り布が固定的に設置された。
【０００６】
更の技術プランとしては、前記位置制限装置は前記推しロッドの後端面に固定的に設置されたラックを含み、前記開口の後壁の中には伝動チャンバが連通するように設置され、前記伝動チャンバの中には前記ラックと噛み合うことができる伝動ギヤが回転できるように設置され、前記伝動ギヤの後端には従動ギヤが噛み合うように設置され、前記従動ギヤの同軸一端にはラチェットギヤが固定的に連結され、前記ラチェットギヤは前記従動ギヤが前記主動ベベルギヤを連動させて片方向へ回転させることを実現し、前記ラチェットギヤの同軸一端には主動ベベルギヤが固定的に連結され、前記主動ベベルギヤのうち左右対称の中心に近接しており、且つ上下対称の中心から離れている側には前記主動ベベルギヤと噛み合っている従動ヘリカルギヤが設置され、前記従動ヘリカルギヤの軸心には回転軸が固定的に設置され、前記スライドチャンバの後壁には回転チャンバが連通するように設置され、前記回転軸が前記回転チャンバの中に伸びており、且つ前記回転軸には回転盤が固定的に設置され、前記回転盤の円周面の後端には阻みブロックが固定的に設置され、前記阻みブロックが前記スライドチャンバの中に回転して前記スライド板を阻むことができる。
【０００７】
更の技術プランとしては、前記バックル装置は上側の前記固定板の下端に回転できるように設置されたカバー板を含み、前記カバー板の下端面の中には引っ掛かり溝が設置され、下側の前記固定板の上端面には前記引っ掛かり溝の中に引っ掛かることができる引っ掛かりブロックが固定的に設置され、前記カバー板の右端面の下端には第一折りロッドが回転できるように設置され、前記第一折りロッドの右端面の上端には第二折りロッドが回転できるように設置され、前記第二折りロッドの下端が下側の前記固定板の上端に回転できるように連結され、前記反転板の相対した一端には回転ロッドが固定的に連結され、前記回転ロッドの間が回転できるように連結された。
【発明の効果】
【０００８】
本発明の有益効果は：本発明は構成が簡単で、操作が便利で、本装置により本装置を簡単に手首につけることができ、同時に簡単な方式により手首をしっかりと挟んで心拍数を安定的に測ってデータをフィードバックし、使用が簡単で便利である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の心拍数を測ることができるブレスレットの内部全体構成模式図
【図２】図２は図１の「Ａ」の拡大模式図
【図３】図３は図２の「Ｂ―Ｂ」方向の構成模式図
【図４】図４は図３の「Ｃ―Ｃ」方向の構成模式図
【発明を実施するための形態】
【００１１】
図１〜４を参照し、本発明の心拍数を測ることができるブレスレットは、上下対称の主板１１を含み、上側の前記主板１１の上端面の中にはディスプレイスクリーン１２が固定的に設置され、前記主板１１の中には挟み装置１０１が設置され、前記挟み装置１０１の後側には位置制限装置１０２が設置され、上下両側の前記主板１１の間にはバックル装置１０３が設置され、前記バックル装置１０３により本装置を手首につけ、本装置の左右両端を押して前記挟み装置１０１を始動でき、手首の上下両端をきつく挟み、また前記位置制限装置１０２により位置を制限し、そして心拍数を測り、また前記ディスプレイスクリーン１２によりデータを示し、再び本装置の左右両端を押し、前記位置制限装置１０２が前記挟み装置１０１に対しての位置のロックを解除でき、前記挟み装置１０１は、前記主板１１の中に設置され、且つ開口が向き合っている伸縮チャンバ１３を含み、前記伸縮チャンバ１３の中には挟み板１４がスライドできるように設置され、下側の前記挟み板１４の上端面の中には心拍数を測ることができる測り板２６が設置され、前記挟み板１４のうち対称中心から離れている側の端面にはヒンジロッド１５が左右対称的に、且つヒンジにより連結され、前記伸縮チャンバ１３の左右両壁にはガイドスライド口１６が対称的に、且つ連通するように設置され、前記ガイドスライド口１６の中には前記ヒンジロッド１５のうち対称中心から離れている一端にヒンジにより連結されたコンロッド１７がスライドできるように設置され、前記ガイドスライド口１６のうち前記伸縮チャンバ１３から離れている側にはスライドチャンバ１８が連通するように設置され、前記スライドチャンバ１８の中には前記コンロッド１７のうち対称中心から離れている一端に固定的に連結されたスライド板１９がスライドできるように設置され、前記スライド板１９のうち前記コンロッド１７に連結された一端と前記スライドチャンバ１８の内壁との間には圧縮バネ２０が固定的に連結され、前記スライドチャンバ１８のうち前記ガイドスライド口１６から離れている側には開口２１が連通するように設置され、前記スライド板１９のうち前記ガイドスライド口１６から離れている一端には前記開口２１を通り抜けている推しロッド２２が固定的に連結され、左側且つ上下両側に位置している前記推しロッド２２の相対した一端には固定板２３が固定的に設置され、右側且つ上下両側に位置している前記推しロッド２２の相対した一端には反転板２４が固定的に設置され、前記固定板２３と前記主板１１との間及び前記反転板２４と前記主板１１との間には環状遮り布２５が固定的に設置された。
【００１２】
有益的には、前記位置制限装置１０２は前記推しロッド２２の後端面に固定的に設置されたラック２７を含み、前記開口２１の後壁の中には伝動チャンバ２８が連通するように設置され、前記伝動チャンバ２８の中には前記ラック２７と噛み合うことができる伝動ギヤ２９が回転できるように設置され、前記伝動ギヤ２９の後端には従動ギヤ３０が噛み合うように設置され、前記従動ギヤ３０の同軸一端にはラチェットギヤ３１が固定的に連結され、前記ラチェットギヤ３１は前記従動ギヤ３０が前記主動ベベルギヤ３２を連動させて片方向へ回転させることを実現し、前記ラチェットギヤ３１の同軸一端には主動ベベルギヤ３２が固定的に連結され、前記主動ベベルギヤ３２のうち左右対称の中心に近接しており、且つ上下対称の中心から離れている側には前記主動ベベルギヤ３２と噛み合っている従動ヘリカルギヤ３３が設置され、前記従動ヘリカルギヤ３３の軸心には回転軸３４が固定的に設置され、前記スライドチャンバ１８の後壁には回転チャンバ３５が連通するように設置され、前記回転軸３４が前記回転チャンバ３５の中に伸びており、且つ前記回転軸３４には回転盤３６が固定的に設置され、前記回転盤３６の円周面の後端には阻みブロック３７が固定的に設置され、前記阻みブロック３７が前記スライドチャンバ１８の中に回転して前記スライド板１９を阻むことができる。
【００１３】
有益的には、前記バックル装置１０３は上側の前記固定板２３の下端に回転できるように設置されたカバー板３８を含み、前記カバー板３８の下端面の中には引っ掛かり溝３９が設置され、下側の前記固定板２３の上端面には前記引っ掛かり溝３９の中に引っ掛かることができる引っ掛かりブロック４０が固定的に設置され、前記カバー板３８の右端面の下端には第一折りロッド４１が回転できるように設置され、前記第一折りロッド４１の右端面の上端には第二折りロッド４２が回転できるように設置され、前記第二折りロッド４２の下端が下側の前記固定板２３の上端に回転できるように連結され、前記反転板２４の相対した一端には回転ロッド４３が固定的に連結され、前記回転ロッド４３の間が回転できるように連結された。
【００１４】
初期状態において、挟み板１４が伸縮チャンバ１３の中に引っ込んでおり、阻みブロック３７が回転チャンバ３５の中の前記スライドチャンバ１８から離れている側に位置しており、カバー板３８と、第一折りロッド４１と、第二折りロッド４２とが折り畳み状態にあり、引っ掛かりブロック４０が引っ掛かり溝３９の中に引っ掛かっている。
【００１５】
つける時、カバー板３８を反転させ、引っ掛かりブロック４０が引っ掛かり溝３９の中から離脱し、カバー板３８と、第一折りロッド４１と、第二折りロッド４２とを広げ、そして上側の主板１１を手の甲につけ、またカバー板３８と、第一折りロッド４１と、第二折りロッド４２とを初期状態に折り畳み、本装置を手首に嵌め、
心拍数を測る時、もう片方の手で固定板２３と反転板２４とを内側へ押し、推しロッド２２により左右両側のスライド板１９を連動させて相対的に移動させ、スライド板１９が回転チャンバ３５に正対した時、ラック２７が伝動ギヤ２９と噛み合い、スライド板１９が移動し続け、この時、ラック２７が伝動ギヤ２９を連動させて回転させ、ギヤの噛み合いにより従動ギヤ３０を連動させて回転させ、ラチェットギヤ３１の片方向の伝動により主動ベベルギヤ３２を連動させて回転させ、ギヤの噛み合いにより従動ヘリカルギヤ３３を連動させて回転させ、回転軸３４により回転盤３６を連動させて百八十度回転させ、この時、阻みブロック３７がスライド板１９を引っかからせることができ、この時、コンロッド１７が最大限に伸縮チャンバ１３の中に深く入り、ヒンジロッド１５により挟み板１４を連動させて相対的に移動させ、且つ手の甲と掌の両側の手首を挟み、手を放し、この時、スライド板１９が圧縮バネ２０の弾力のもとで復帰して移動し、しかし、阻みブロック３７に阻まれて完全に復帰できなく、この時、測り板２６が脈拍に対して一定の時間の計測を行い、またディスプレイスクリーン１２によりデータを示し、
計測を停止する時、同じように固定板２３と反転板２４とを押し、回転盤３６が継続して百八十度回転して初期状態に戻り、この時、手を放し、装置が復帰できる。
【００１６】
本発明の有益効果は：本発明は構成が簡単で、操作が便利で、本装置により本装置を簡単に手首につけることができ、同時に簡単な方式により手首をしっかりと挟んで心拍数を安定的に測ってデータをフィードバックし、使用が簡単で便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182795.tif 000003
【図２】
2020182795.tif 000004
【図３】
2020182795.tif 000005
【図４】
2020182795.tif 000006
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
正面視で、上下対称の主板を含み、上側の前記主板の上端面の中にはディスプレイスクリーンが固定的に設置され、前記主板の中には挟み装置が設置され、前記挟み装置の後側には位置制限装置が設置され、上下両側の前記主板の間にはバックル装置が設置され、前記バックル装置により本装置を手首につけ、本装置の左右両端を押して前記挟み装置を始動でき、手首の上下両端をきつく挟み、また前記位置制限装置により位置を制限し、そして心拍数を測り、また前記ディスプレイスクリーンによりデータを示し、再び本装置の左右両端を押し、前記位置制限装置が前記挟み装置に対しての位置のロックを解除でき、前記挟み装置は、前記主板の中に設置され、且つ開口が向き合っている伸縮チャンバを含み、前記伸縮チャンバの中には挟み板がスライドできるように設置され、下側の前記挟み板の上端面の中には心拍数を測ることができる測り板が設置され、前記挟み板のうち対称中心から離れている側の端面にはヒンジロッドが左右対称的に、且つヒンジにより連結され、前記伸縮チャンバの左右両壁にはガイドスライド口が対称的に、且つ連通するように設置され、前記ガイドスライド口の中には前記ヒンジロッドのうち対称中心から離れている一端にヒンジにより連結されたコンロッドがスライドできるように設置され、前記ガイドスライド口のうち前記伸縮チャンバから離れている側にはスライドチャンバが連通するように設置され、前記スライドチャンバの中には前記コンロッドのうち対称中心から離れている一端に固定的に連結されたスライド板がスライドできるように設置され、前記スライド板のうち前記コンロッドに連結された一端と前記スライドチャンバの内壁との間には圧縮バネが固定的に連結され、前記スライドチャンバのうち前記ガイドスライド口から離れている側には開口が連通するように設置され、前記スライド板のうち前記ガイドスライド口から離れている一端には前記開口を通り抜けている推しロッドが固定的に連結され、左側且つ上下両側に位置している前記推しロッドの相対した一端には固定板が固定的に設置され、右側且つ上下両側に位置している前記推しロッドの相対した一端には反転板が固定的に設置され、前記固定板と前記主板との間及び前記反転板と前記主板との間には環状遮り布が固定的に設置され、
前記位置制限装置は前記推しロッドの後端面に固定的に設置されたラックを含み、前記開口の後壁の中には伝動チャンバが連通するように設置され、前記伝動チャンバの中には前記ラックと噛み合うことができる伝動ギヤが回転できるように設置され、前記伝動ギヤの後端には従動ギヤが噛み合うように設置され、前記従動ギヤの同軸一端にはラチェットギヤが固定的に連結され、前記ラチェットギヤの同軸一端には主動ベベルギヤが固定的に連結され、前記ラチェットギヤは前記従動ギヤが前記主動ベベルギヤを連動させて片方向へ回転させることを実現し、前記主動ベベルギヤのうち左右対称の中心に近接しており、且つ上下対称の中心から離れている側には前記主動ベベルギヤと噛み合っている従動ヘリカルギヤが設置され、前記従動ヘリカルギヤの軸心には回転軸が固定的に設置され、前記スライドチャンバの後壁には回転チャンバが連通するように設置され、前記回転軸が前記回転チャンバの中に伸びており、且つ前記回転軸には回転盤が固定的に設置され、前記回転盤の円周面の後端には阻みブロックが固定的に設置され、前記阻みブロックが前記スライドチャンバの中に回転して前記スライド板を阻むことができることを特徴とする心拍数を測ることができるブレスレット。
【請求項２】
前記バックル装置は上側の前記固定板の下端に回転できるように設置されたカバー板を含み、前記カバー板の下端面の中には引っ掛かり溝が設置され、下側の前記固定板の上端面には前記引っ掛かり溝の中に引っ掛かることができる引っ掛かりブロックが固定的に設置され、前記カバー板の右端面の下端には第一折りロッドが回転できるように設置され、前記第一折りロッドの右端面の上端には第二折りロッドが回転できるように設置され、前記第二折りロッドの下端が下側の前記固定板の上端に回転できるように連結され、前記反転板の相対した一端には回転ロッドが固定的に連結され、前記回転ロッドの間が回転できるように連結されたことを特徴とする請求項１に記載の心拍数を測ることができるブレスレット。
【手続補正２】
【補正対象書類名】明細書
【補正対象項目名】全文
【補正方法】変更
【補正の内容】
【発明の詳細な説明】
【技術分野】
【０００１】
本発明はアクセサリー技術分野を取り上げて、具体的には心拍数を測ることができるブレスレットである。
【背景技術】
【０００２】
ブレスレットは手首につけられるアクセサリーであり、現在、ブレスレットは手元を飾る作用を果たすだけではなく、人の体の健康データを測定でき、例えば心拍数を測り、しかし、ブレスレットがちゃんとつけられていないため測ったデータが正しくないことになりやすく、そのため、心拍数を測ることができるブレスレットが必要となり、本装置により本装置を簡単に手首につけることができ、同時に簡単な方式により手首をしっかりと挟んで心拍数を安定的に測ってデータをフィードバックし、使用が簡単で便利である。
【先行技術文献】
【特許文献】
【０００３】
【特許文献１】中国特許出願公開第１０６５１０１０９号明細書
【発明の概要】
【発明が解決しようとする課題】
【０００４】
本発明は心拍数を測ることができるブレスレットを提供し、従来技術における上記欠点を解消することを目的とする。
【課題を解決するための手段】
【０００５】
本発明の心拍数を測ることができるブレスレットは、上下対称の主板を含み、上側の前記主板の上端面の中にはディスプレイスクリーンが固定的に設置され、前記主板の中には挟み装置が設置され、前記挟み装置の後側には位置制限装置が設置され、上下両側の前記主板の間にはバックル装置が設置され、前記バックル装置により本装置を手首につけ、本装置の左右両端を押して前記挟み装置を始動でき、手首の上下両端をきつく挟み、また前記位置制限装置により位置を制限し、そして心拍数を測り、また前記ディスプレイスクリーンによりデータを示し、再び本装置の左右両端を押し、前記位置制限装置が前記挟み装置に対しての位置のロックを解除でき、前記挟み装置は、前記主板の中に設置され、且つ開口が向き合っている伸縮チャンバを含み、前記伸縮チャンバの中には挟み板がスライドできるように設置され、下側の前記挟み板の上端面の中には心拍数を測ることができる測り板が設置され、前記挟み板のうち対称中心から離れている側の端面にはヒンジロッドが左右対称的に、且つヒンジにより連結され、前記伸縮チャンバの左右両壁にはガイドスライド口が対称的に、且つ連通するように設置され、前記ガイドスライド口の中には前記ヒンジロッドのうち対称中心から離れている一端にヒンジにより連結されたコンロッドがスライドできるように設置され、前記ガイドスライド口のうち前記伸縮チャンバから離れている側にはスライドチャンバが連通するように設置され、前記スライドチャンバの中には前記コンロッドのうち対称中心から離れている一端に固定的に連結されたスライド板がスライドできるように設置され、前記スライド板のうち前記コンロッドに連結された一端と前記スライドチャンバの内壁との間には圧縮バネが固定的に連結され、前記スライドチャンバのうち前記ガイドスライド口から離れている側には開口が連通するように設置され、前記スライド板のうち前記ガイドスライド口から離れている一端には前記開口を通り抜けている推しロッドが固定的に連結され、左側且つ上下両側に位置している前記推しロッドの相対した一端には固定板が固定的に設置され、右側且つ上下両側に位置している前記推しロッドの相対した一端には反転板が固定的に設置され、前記固定板と前記主板との間及び前記反転板と前記主板との間には環状遮り布が固定的に設置された。
【０００６】
更の技術プランとしては、前記位置制限装置は前記推しロッドの後端面に固定的に設置されたラックを含み、前記開口の後壁の中には伝動チャンバが連通するように設置され、前記伝動チャンバの中には前記ラックと噛み合うことができる伝動ギヤが回転できるように設置され、前記伝動ギヤの後端には従動ギヤが噛み合うように設置され、前記従動ギヤの同軸一端にはラチェットギヤが固定的に連結され、前記ラチェットギヤの同軸一端には主動ベベルギヤが固定的に連結され、前記ラチェットギヤは前記従動ギヤが前記主動ベベルギヤを連動させて片方向へ回転させることを実現し、前記主動ベベルギヤのうち左右対称の中心に近接しており、且つ上下対称の中心から離れている側には前記主動ベベルギヤと噛み合っている従動ヘリカルギヤが設置され、前記従動ヘリカルギヤの軸心には回転軸が固定的に設置され、前記スライドチャンバの後壁には回転チャンバが連通するように設置され、前記回転軸が前記回転チャンバの中に伸びており、且つ前記回転軸には回転盤が固定的に設置され、前記回転盤の円周面の後端には阻みブロックが固定的に設置され、前記阻みブロックが前記スライドチャンバの中に回転して前記スライド板を阻むことができる。
【０００７】
更の技術プランとしては、前記バックル装置は上側の前記固定板の下端に回転できるように設置されたカバー板を含み、前記カバー板の下端面の中には引っ掛かり溝が設置され、下側の前記固定板の上端面には前記引っ掛かり溝の中に引っ掛かることができる引っ掛かりブロックが固定的に設置され、前記カバー板の右端面の下端には第一折りロッドが回転できるように設置され、前記第一折りロッドの右端面の上端には第二折りロッドが回転できるように設置され、前記第二折りロッドの下端が下側の前記固定板の上端に回転できるように連結され、前記反転板の相対した一端には回転ロッドが固定的に連結され、前記回転ロッドの間が回転できるように連結された。
【発明の効果】
【０００８】
本発明の有益効果は：本発明は構成が簡単で、操作が便利で、本装置により本装置を簡単に手首につけることができ、同時に簡単な方式により手首をしっかりと挟んで心拍数を安定的に測ってデータをフィードバックし、使用が簡単で便利である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の心拍数を測ることができるブレスレットの内部全体構成模式    図
【図２】図２は図１の「Ａ」の拡大模式図
【図３】図３は図２の「Ｂ―Ｂ」方向の構成模式図
【図４】図４は図３の「Ｃ―Ｃ」方向の構成模式図
【発明を実施するための形態】
【００１１】
図１〜４を参照し、本発明の心拍数を測ることができるブレスレットは、上下対称の主板１１を含み、上側の前記主板１１の上端面の中にはディスプレイスクリーン１２が固定的に設置され、前記主板１１の中には挟み装置１０１が設置され、前記挟み装置１０１の後側には位置制限装置１０２が設置され、上下両側の前記主板１１の間にはバックル装置１０３が設置され、前記バックル装置１０３により本装置を手首につけ、本装置の左右両端を押して前記挟み装置１０１を始動でき、手首の上下両端をきつく挟み、また前記位置制限装置１０２により位置を制限し、そして心拍数を測り、また前記ディスプレイスクリーン１２によりデータを示し、再び本装置の左右両端を押し、前記位置制限装置１０２が前記挟み装置１０１に対しての位置のロックを解除でき、前記挟み装置１０１は、前記主板１１の中に設置され、且つ開口が向き合っている伸縮チャンバ１３を含み、前記伸縮チャンバ１３の中には挟み板１４がスライドできるように設置され、下側の前記挟み板１４の上端面の中には心拍数を測ることができる測り板２６が設置され、前記挟み板１４のうち対称中心から離れている側の端面にはヒンジロッド１５が左右対称的に、且つヒンジにより連結され、前記伸縮チャンバ１３の左右両壁にはガイドスライド口１６が対称的に、且つ連通するように設置され、前記ガイドスライド口１６の中には前記ヒンジロッド１５のうち対称中心から離れている一端にヒンジにより連結されたコンロッド１７がスライドできるように設置され、前記ガイドスライド口１６のうち前記伸縮チャンバ１３から離れている側にはスライドチャンバ１８が連通するように設置され、前記スライドチャンバ１８の中には前記コンロッド１７のうち対称中心から離れている一端に固定的に連結されたスライド板１９がスライドできるように設置され、前記スライド板１９のうち前記コンロッド１７に連結された一端と前記スライドチャンバ１８の内壁との間には圧縮バネ２０が固定的に連結され、前記スライドチャンバ１８のうち前記ガイドスライド口１６から離れている側には開口２１が連通するように設置され、前記スライド板１９のうち前記ガイドスライド口１６から離れている一端には前記開口２１を通り抜けている推しロッド２２が固定的に連結され、左側且つ上下両側に位置している前記推しロッド２２の相対した一端には固定板２３が固定的に設置され、右側且つ上下両側に位置している前記推しロッド２２の相対した一端には反転板２４が固定的に設置され、前記固定板２３と前記主板１１との間及び前記反転板２４と前記主板１１との間には環状遮り布２５が固定的に設置された。
【００１２】
有益的には、前記位置制限装置１０２は前記推しロッド２２の後端面に固定的に設置されたラック２７を含み、前記開口２１の後壁の中には伝動チャンバ２８が連通するように設置され、前記伝動チャンバ２８の中には前記ラック２７と噛み合うことができる伝動ギヤ２９が回転できるように設置され、前記伝動ギヤ２９の後端には従動ギヤ３０が噛み合うように設置され、前記従動ギヤ３０の同軸一端にはラチェットギヤ３１が固定的に連結され、前記ラチェットギヤ３１の同軸一端には主動ベベルギヤ３２が固定的に連結され、前記ラチェットギヤ３１は前記従動ギヤ３０が前記主動ベベルギヤ３２を連動させて片方向へ回転させることを実現し、前記主動ベベルギヤ３２のうち左右対称の中心に近接しており、且つ上下対称の中心から離れている側には前記主動ベベルギヤ３２と噛み合っている従動ヘリカルギヤ３３が設置され、前記従動ヘリカルギヤ３３の軸心には回転軸３４が固定的に設置され、前記スライドチャンバ１８の後壁には回転チャンバ３５が連通するように設置され、前記回転軸３４が前記回転チャンバ３５の中に伸びており、且つ前記回転軸３４には回転盤３６が固定的に設置され、前記回転盤３６の円周面の後端には阻みブロック３７が固定的に設置され、前記阻みブロック３７が前記スライドチャンバ１８の中に回転して前記スライド板１９を阻むことができる。
【００１３】
有益的には、前記バックル装置１０３は上側の前記固定板２３の下端に回転できるように設置されたカバー板３８を含み、前記カバー板３８の下端面の中には引っ掛かり溝３９が設置され、下側の前記固定板２３の上端面には前記引っ掛かり溝３９の中に引っ掛かることができる引っ掛かりブロック４０が固定的に設置され、前記カバー板３８の右端面の下端には第一折りロッド４１が回転できるように設置され、前記第一折りロッド４１の右端面の上端には第二折りロッド４２が回転できるように設置され、前記第二折りロッド４２の下端が下側の前記固定板２３の上端に回転できるように連結され、前記反転板２４の相対した一端には回転ロッド４３が固定的に連結され、前記回転ロッド４３の間が回転できるように連結された。
【００１４】
初期状態において、挟み板１４が伸縮チャンバ１３の中に引っ込んでおり、阻みブロック３７が回転チャンバ３５の中の前記スライドチャンバ１８から離れている側に位置しており、カバー板３８と、第一折りロッド４１と、第二折りロッド４２とが折り畳み状態にあり、引っ掛かりブロック４０が引っ掛かり溝３９の中に引っ掛かっている。
【００１５】
つける時、カバー板３８を反転させ、引っ掛かりブロック４０が引っ掛かり溝３９の中から離脱し、カバー板３８と、第一折りロッド４１と、第二折りロッド４２とを広げ、そして上側の主板１１を手の甲につけ、またカバー板３８と、第一折りロッド４１と、第二折りロッド４２とを初期状態に折り畳み、本装置を手首に嵌め、
心拍数を測る時、もう片方の手で固定板２３と反転板２４とを内側へ押し、推しロッド２２により左右両側のスライド板１９を連動させて相対的に移動させ、スライド板１９が回転チャンバ３５に正対した時、ラック２７が伝動ギヤ２９と噛み合い、スライド板１９が移動し続け、この時、ラック２７が伝動ギヤ２９を連動させて回転させ、ギヤの噛み合いにより従動ギヤ３０を連動させて回転させ、ラチェットギヤ３１の片方向の伝動により主動ベベルギヤ３２を連動させて回転させ、ギヤの噛み合いにより従動ヘリカルギヤ３３を連動させて回転させ、回転軸３４により回転盤３６を連動させて百八十度回転させ、この時、阻みブロック３７がスライド板１９を引っかからせることができ、この時、コンロッド１７が最大限に伸縮チャンバ１３の中に深く入り、ヒンジロッド１５により挟み板１４を連動させて相対的に移動させ、且つ手の甲と掌の両側の手首を挟み、手を放し、この時、スライド板１９が圧縮バネ２０の弾力のもとで復帰して移動し、しかし、阻みブロック３７に阻まれて完全に復帰できなく、この時、測り板２６が脈拍に対して一定の時間の計測を行い、またディスプレイスクリーン１２によりデータを示し、
計測を停止する時、同じように固定板２３と反転板２４とを押し、回転盤３６が継続して百八十度回転して初期状態に戻り、この時、手を放し、装置が復帰できる。
【００１６】
本発明の有益効果は：本発明は構成が簡単で、操作が便利で、本装置により本装置を簡単に手首につけることができ、同時に簡単な方式により手首をしっかりと挟んで心拍数を安定的に測ってデータをフィードバックし、使用が簡単で便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。